(57)【要約】【課題】光学素子を幾何学的にバランス良くフレームなどに固定することが容易な光ヘッド装置を提供すること。【解決手段】光源から出射された出射光を光記録媒体に導くとともに、前記出射光が前記記録媒体で反射した戻り光を受光素子に導く光学系と、前記光学系を構成する光学素子が搭載されたフレーム１１とを有する光ヘッド装置１において、前記フレーム１１は、中央に光学系の光路が形成可能に開口した開口部を有し、その両側に光学素子２０を固定するための互いに対向する壁部１１１，１１２を有し、壁部１１１，１１２によって規定される開口部の幅より前記光学素子の幅を小さく形成して光学素子２０の側壁部を前記壁部１１１，１１２と対向させるように挿嵌させ、前記壁部１１１，１１２には光学素子２０の厚み方向の中間位置に接着剤を導入するために光学素子２０の厚み方向に切り欠いた切り欠き部を有する【選択図】図１
2009295216.tif 000002
【特許請求の範囲】
【請求項１】
光源から出射された出射光を光記録媒体に導くとともに、前記出射光が前記記録媒体で反射した戻り光を受光素子に導く光学系と、前記光学系を構成する光学素子が搭載されたフレームとを有する光ヘッド装置において、前記フレームは、中央に前記光学系の光路が形成可能に開口した開口部を有し、その両側に前記光学素子を固定するための互いに対向する壁部を有し、該壁部によって規定される前記開口部の幅より前記光学素子の幅を小さく形成して該光学素子の側壁部を前記壁部と対向させるように挿嵌させ、前記壁部には前記光学素子の厚み方向の中間位置に接着剤を導入するために前記光学素子の厚み方向に切り欠いた切り欠き部を有することを特徴とする光学ヘッド装置。
【請求項２】
前記切り欠き部は、一端が前記側壁に前記接着剤を導入可能に切り欠かれるとともに、他端が前記接着剤との間に隙間を有する溝部であることを特徴とする請求項１に記載の光ヘッド装置。
【請求項３】
前記光学素子は、四角形状に形成され、前記光学素子の幅方向の両端が前記壁部に接着固定され、かつ互いに幅方向において対称になる位置が接着固定されるように前記切り欠きが形成されることを特徴とする請求項１または請求項２に記載の光ヘッド装置。
【請求項４】
前記接着剤は、前記切り欠き部と前記側壁部とに跨って配設され、前記切り欠き部のみで前記側壁に接着固定されていることを特徴とする光ヘッド装置。
【発明の詳細な説明】
【技術分野】
【０００１】
本発明は、光ヘッド装置に関するものであり、くわしくは、ＣＤやＤＶＤなどの光記録媒体の再生および／または記録を行うことができる光ヘッド装置に関するものである。
【背景技術】
【０００２】
ＣＤやＤＶＤなどの光記録媒体の再生、記録に用いられる光ヘッド装置は、たとえば波長の異なる二組のレーザ光源を備え、それぞれのレーザ光源から射出されるレーザ光を、対物レンズを通じて、光記録媒体の記録面に収束させる構成を備える。そして、各レーザ光の光路の、レーザ光源から光記録媒体の記録面までの間には、回折格子、スプリッタ、立ち上げミラー、コリメートレンズ、対物レンズ、などの種々の光学素子が配設されている。
【０００３】
各光路上に配設される各種光学素子の固定方法は種々あるが、たとえば接着剤を用いて光学素子をフレームに固定する構成がある（特許文献１参照）。特許文献１には、光学素子をフレームなどに固定するに際して、光学素子とフレームとの間に形成される隙間に、接着剤が充填される構成が開示されている。
【０００４】
特許文献１に記載の構成によれば、光学素子（特許文献１においてはレンズ）を、ダイキャストフレームに精度良く固定することができる。また、特許文献１に記載の構成では、光学素子の固定角度を簡便に決定することができる。
【０００５】
【特許文献１】特開２００７−８０３１８号公報
【発明の開示】
【発明が解決しようとする課題】
【０００６】
しかしながら、特許文献１に記載のように、光学素子とフレームとの間に接着剤を導入して光学素子をフレームに固定する構成では、次のような問題が生じる場合がある。
【０００７】
光学素子とフレームとの間に接着剤を導入して光学素子をフレームに固定する構成では、実際に接着剤を導入する際に、光学素子の表面を接着剤で汚染するおそれがある。光学素子の表面が接着剤で汚染されると、当該光学素子は、所定の光学特性を発揮することができなくなるおそれがある。したがって、光学素子とフレームとの間に接着剤を導入して光学素子をフレームに固定するに際して、光学素子の表面が接着剤で汚染されないように細心の注意を払って接着剤を導入する必要がある。そのため作業性が悪化するという問題がある。
【０００８】
また、光学素子とフレームとの互いに対向した箇所に接着剤を導入して光学素子をフレームに固定する構成では、接着剤が温度変化に伴って膨脹した場合に、光学素子に外力が加わり、当該光学素子に応力が発生することがある。光学素子に応力生じると、光学素子が正規の位置からずれ、光学素子の光軸がずれてしまうという問題がある。したがって、接着剤が温度変化に伴って膨脹したとしても、光学素子に応力が生じないようにする必要がある。
【０００９】
さらに、特許文献１に記載の構成などにおいては、接着位置が目測となるから、製品ごとに接着剤の導入位置が異なるおそれがある。接着剤が導入される位置が変化すると、光学素子の光学特性が光ヘッド装置毎にばらつく原因になる。
【００１０】
上記実情に鑑み、本発明が解決しようとする課題は、光学素子が接着剤によって固定される中央に光学系の光路が形成可能に開口した開口部を備えたフレームを有し、開口部の互いに対向する壁部に光学素子を固定させた光ヘッド装置において、光学素子をフレームに固定する際、作業性を悪化させることなく、光学素子の表面が接着剤により汚染されることを防止もしくは抑制できる光ヘッド装置を提供すること、または、接着剤が温度変化に伴い膨脹したとしても、光学素子に応力の発生を防止もしくは抑制できる光ヘッド装置を提供すること、または、光学素子の光学特性が光ヘッド装置毎にばらつくことを抑制することができる光ヘッド装置を提供することである。
【課題を解決するための手段】
【００１１】
前記課題を解決するため、本発明は、光源から出射された出射光を光記録媒体に導くとともに、前記出射光が前記記録媒体で反射した戻り光を受光素子に導く光学系と、前記光学系を構成する光学素子が搭載されたフレームとを有する光ヘッド装置において、前記フレームは、中央に前記光学系の光路が形成可能に開口した開口部を有し、その両側に前記光学素子を固定するための互いに対向する壁部を有し、該壁部によって規定される前記開口部の幅より前記光学素子の幅を小さく形成して該光学素子の側壁部を前記壁部と対向させるように挿嵌させ、前記壁部には前記光学素子の厚み方向の中間位置に接着剤を導入するために前記光学素子の厚み方向に切り欠いた切り欠き部を有することを要旨とするものである。
【００１２】
このような構成によれば、光学素子を固定するための接着剤を、壁部の切り欠きに導入することができる。このため、接着位置を高い精度で規定することが可能となる。したがって、光学素子の光学特性が光ヘッド装置毎にばらつくことを抑制することができる。また、接着剤が切り欠き部から側壁部の厚み方向の中間位置に導入されるので、光学素子を調整した後に接着剤を導入する際、作業性を悪化させることなく、接着剤により光学素子の表面を汚染することなく接着剤を導入することができる。
【００１３】
前記切り欠き部は、一端が前記側壁に前記接着剤を導入可能に切り欠かれるとともに、他端が前記接着剤との間に隙間を有する溝部であることが好ましい。
【００１４】
このような構成によれば、溝部の他端が前記接着剤との間に隙間を有しているので、接着剤が熱膨張などにより体積変化を起こしても、隙間に接着剤を逃げることができる。このため、光学素子に外力が加わり、当該光学素子に応力が発生することがない。従って、光学素子が正規の位置からずれ、光学素子の光軸がずれてしまうことを抑制することができる。
【００１５】
前記光学素子は、四角形状に形成され、前記光学素子の幅方向の両端が前記壁部に接着固定され、かつ互いに幅方向において対称になる位置が接着固定されるように前記切り欠きが形成されることが好ましい。
【００１６】
このような構成によれば、光学素子を幾何学的にバランス良くフレームに固定することが可能となる。したがって光軸ズレなどの不具合を防止または抑制することができる。
【００１７】
前記接着剤は、前記切り欠き部と前記側壁部とに跨って配設され、前記切り欠き部のみで前記側壁に接着固定されていることが好ましい。
【００１８】
このような構成によれば、接着剤は、光学素子と側壁部との間にほとんど侵入しない。したがって、接着剤が熱膨張などした場合であっても、光学素子に外力が加わり、当該光学素子に応力が発生することがない。従って、光学素子が正規の位置からずれ、光学素子の光軸がずれてしまうことを抑制することができる
【発明の効果】
【００１９】
本発明によれば、光学素子を固定するための接着剤を、壁部の切り欠きに導入することができる。このため、接着位置を高い精度で規定することが可能となる。したがって、光学素子の光学特性が光ヘッド装置毎にばらつくことを抑制することができる。また、接着剤が切り欠き部から側壁部の厚み方向の中間位置に導入されるので、光学素子を調整した後に接着剤を導入する際、作業性を悪化させることなく、接着剤により光学素子の表面を汚染することなく接着剤を導入することができる。
【発明を実施するための最良の形態】
【００２０】
以下に、図面を参照して本発明を適用した光ヘッド装置１の実施の形態を説明する。
【００２１】
図１（ａ）は、本発明の実施形態にかかる光ヘッド装置１のフレーム１１に、光学素子としての立ち上げミラー２０が実装される前の状態を示した平面図であり、図１（ｂ）は、本発明の実施形態にかかる光ヘッド装置１のフレーム１１に、光学素子としての立ち上げミラー２０が装着された状態を、斜め上から見た外観斜視図である。
【００２２】
フレーム１１は、マグネシウム合金や亜鉛合金などからなる部材であり、ダイキャスト製法などによって、一体的に形成される部材である。図１に示すように、このフレーム１１は、底面と、底面の外周縁に立設される外周壁１１５と、を備える。すなわち、底面と、この底面を取り囲む外周壁１１５とを有する。外周壁１１５に囲まれる領域には、補強リブや後述する第一の壁部１１１、第二の壁部１１２、およびその他の所定の部分が形成される。
【００２３】
底面の略中心には、第一の壁部１１１と第二の壁部１１２とが所定の間隔をおいて立設される。この第一の壁部１１１と第二の壁部１１２とは、光学素子としての立ち上げミラー２０を固定するためのものである。第一の壁部１１１と第二の壁部１１２との間には所定の寸法の隙間が形成されており、この隙間が、光路となる開口部となる。
【００２４】
第一の壁部１１１と第二の壁部１１２とは、それぞれ、フレーム１１の底面に対して所定の角度で傾斜している傾斜面１１１１，１１２１と、フレーム１１の底面に対して略直角に起立する直角面１１１２，１１２２とが形成される。そして、第一の壁部１１１の直角面１１１２と、第二の壁部１１２の直角面１１２２が、所定の間隔をおいて、略平行に対向するように形成される。また、第一の壁部１１１の傾斜面１１１１と第二の壁部１１２の傾斜面１１２１とは、同一面内にある。すなわち、一方の壁部の傾斜面１１１１の延長面と、他方の壁部の傾斜面１１２１とが一致する。
【００２５】
第一の壁部１１１と第二の壁部１１２との間、すなわち光路となる開口部には、光学素子としての立ち上げミラー２０が配設される。光学素子としての立ち上げミラー２０の幅方向寸法は、第一の壁部１１１の直角面１１１２と、第二の壁部１１２の直角面１１２２との間よりも小さい寸法に形成される。このため、光学素子としての立ち上げミラー２０は、第一の壁部１１１と第二の壁部１１２との間に遊挿される。そして、光学素子としての立ち上げミラー２０の幅方向の一方の側壁部と、第一の壁部１１１の直角面１１１２とが相対向し、光学素子としての立ち上げミラー２０の幅方向の他方の側壁部と、第二の壁部１１２の直角面１１２２とが相対向する。
【００２６】
前記のように光学素子としての立ち上げミラー２０の幅方向寸法は、第一の壁部１１１の直角面１１１２と、第二の壁部１１２の直角面１１２２との間よりも小さい寸法に形成されるから、光学素子としての立ち上げミラー２０の幅方向の一方の側壁部と第一の壁部１１１の直角面１１１２との間、および光学素子としての立ち上げミラー２０の幅方向の他方の側壁部と第二の壁部１１２の直角面１１２２との間には、微小な隙間が存在することになる。
【００２７】
また、光学素子としての立ち上げミラー２０は、当該光学素子としての立ち上げミラー２０の面（光を反射等する機能を有する面）と、第一の壁部１１１の傾斜面１１１１および第二の壁部１１２の傾斜面１１２１とが、略平行になるように配設される。
【００２８】
第一の壁部１１１の傾斜面１１１１と、第二の壁部１１２の傾斜面１１２１には、それぞれ二条の溝状の切り欠き１１６が形成される。具体的には図１（ａ）、（ｂ）のそれぞれに示すように、溝状の切り欠き１１６は、底面に略平行であって、かつ光学素子としての立ち上げミラー２０の幅方向に沿って延びるように形成される。そして、第一の壁部１１１の傾斜面１１１１の溝状の切り欠き１１６と、第二の壁部１１２の傾斜面１１２１の溝状の切り欠き１１６は、略同一線上に形成される。すなわち、第一の壁部１１１の傾斜面１１１１に形成される溝状の切り欠き１１６の延長線と、第二の壁部１１２の傾斜面１１２１に形成される溝状の切り欠き１１６の延長線は、略一致する。
【００２９】
各溝状の切り欠き１１６の深さ方向は、光学素子としての立ち上げミラー２０の厚さ方向に略一致する。溝状の切り欠き１１６の断面形状は、たとえば、等脚台形などの四辺形が適用できる。なお、図示した溝状の切り欠き１１６の断面形状は一例であり、溝状の切り欠き１１６の断面形状が図示した形状に限定されるものではない。
【００３０】
第一の壁部１１１と第二の壁部１１２との間に遊挿される光学素子としての立ち上げミラー２０は、接着剤６によって第一の壁部１１１および第二の壁部１１２の両方に、接着固定される。この接着剤６には、たとえば、材質が変性アクリレートのＵＶ（紫外線）硬化型樹脂であって、粘度が２２０００ｍＰａ・Ｓ程度の材料が適用される。なお、接着剤６の種類は、粘度が２２０００ｍＰａ・Ｓ程度に限定されるものではなく、また、変性アクリレートのＵＶ（紫外線）硬化型樹脂に限定されるものではない。
【００３１】
そして、このように粘度が高い接着剤６が、第一の壁部１１１の傾斜面１１１１に形成される溝状の切り欠き１１６と、第二の壁部１１２の傾斜面１１２１に形成される溝状の切り欠き１１６に充填される。溝状の切り欠き１１６に充填された接着剤６は、その一部が光学素子としての立ち上げミラー２０の幅方向側壁部に接触する。すなわち、光学素子としての立ち上げミラー２０の側壁部と、第一の壁部１１１および第二の壁部１１２の各傾斜面１１１１，１１１２に形成される溝状の切り欠き１１６の内壁面とが、接着剤６によって接合する。これにより、光学素子としての立ち上げミラー２０は、第一の壁部１１１および第二の壁部１１２に接着固定される。
【００３２】
接着剤６の硬化前の粘度は、前記のとおり２２０００ｍＰａ・Ｓ程度と高いため、接着剤６を第一および第二の壁部１１２の傾斜面１１１１，１１２１に形成される溝状の切り欠き１１６に充填した際において、第一の壁部１１１および第二の壁部１１２の直角面１１２２と、これらに対向する光学素子としての立ち上げミラー２０の幅方向の側壁部との間に侵入することはほとんどない。
【００３３】
すなわち、各溝状の切り欠き１１６に充填された（硬化前の）接着剤６は、各溝状の切り欠き１１６の内壁面と、光学素子としての立ち上げミラー２０の幅方向側壁部のうち、第一および第二の壁部１１２の傾斜面１１１１，１１２１に形成された溝状の切り欠き１１６によって露出した部分とに接触する。しかしながら、粘度が高いため、硬化前の接着剤６は、上記露出した部分以外の部分である第一および第二の壁部１１２の直角面１１１２，１１２２と、これらに対向する光学素子としての立ち上げミラー２０の幅方向側壁部との微小な隙間に侵入することはほとんどない。
【００３４】
すなわち、光学素子としての立ち上げミラー２０は、第一の壁部１１１の傾斜面１１１１に形成される二箇所の溝状の切り欠き１１６と、第二の壁部１１２の傾斜面１１２１に形成される二箇所の溝状の切り欠き１１６との、合計四箇所において、その幅方向側壁部が第一の壁部１１１の直角面１１１２および第二の壁部１１２の直角面１１２２に接着固定される。
【００３５】
第一の壁部１１１の傾斜面１１１１に形成される溝状の切り欠き１１６の延長線と、第二の壁部１１２の傾斜面１１２１に形成される溝状の切り欠き１１６の延長線は一致し、かつ二箇所の溝状の切り欠き１１６の延長線は平行であり、さらにこれらの延長線の方向は、光学素子としての立ち上げミラー２０の幅方向に平行である。したがって、光学素子としての立ち上げミラー２０は、上下対称の位置および左右対称の位置において、第一の壁部１１１および第二の壁部１１２に接着固定されることになる。
【００３６】
このような構成によれば、光学素子としての立ち上げミラー２０を固定するための接着剤６を、第一の壁部１１１および第二の壁部１１２の傾斜面１１１１に形成される溝状の切り欠き１１６に導入することができる。このため、接着位置を高い精度で規定することが可能となる。しかも、光学素子としての立ち上げミラー２０を、幾何学的にバランス良く第一の壁部１１１および第二の壁部１１２に固定することができる（すなわち、光学素子としての立ち上げミラー２０を、幾何学的にバランス良フレーム１１に固定することができる）。これにより、光軸ズレなどの不具合を防止または抑制することが可能となる。
【００３７】
しかも、接着剤６を、溝状の切り欠き１１６部から光学素子としての立ち上げミラー２０の幅方向側壁部に充填することができる。したがって、光学素子としての立ち上げミラー２０の位置や角度を調整した後に接着剤６を導入する場合であっても、接着剤６により光学素子としての立ち上げミラー２０の表面を汚染することがなく、接着剤６を導入することができる。
【００３８】
また、溝状の切り欠き１１６のうち、光学素子としての立ち上げミラー２０に対向しない側には接着剤６が存在せず、いわゆるフリーの状態であるから、接着剤６が熱膨張した場合において、接着剤６は、光学素子としての立ち上げミラー２０に対向しない側に膨脹することができる。このため、接着剤６が熱膨張した場合であっても、接着剤６によって光学素子としての立ち上げミラー２０に応力が掛かることを防止または抑制できる。
【００３９】
次に、本発明の実施形態にかかる光ヘッド装置１の全体構成について説明する。図２は、本発明の実施形態にかかる光ヘッド装置１の要部の構成を、模式的に示した斜視図である。本発明の実施形態にかかる光ヘッド装置１は、波長が７８０ｎｍ帯域の第一レーザ光および波長が６５０ｎｍ帯域の第二レーザ光を用い、ＣＤ系ディスクに対して、情報等の記録および読み出しができるとともに、ＤＶＤ系ディスクに対して、情報等の読み出しができる光ヘッド装置１である。
【００４０】
本発明の実施形態にかかる光ヘッド装置１は、フレーム１１と、第一レーザ光源１２と、光源ユニット１４と、第一回折格子１５と、１／２波長板１９と、第一ビームスプリッタ１７と、モニター用受光素子２８と、第二レーザ光源１３と、第二回折格子１６と、第二ビームスプリッタ１８と、検出レンズ２１と、信号検出用受光素子２２と、立ち上げミラー２０と、コリメートレンズ２３と、対物レンズ２４と、対物レンズ駆動機構２５と、その他の所定の部材とを備える。
【００４１】
さらに、フレーム１１の両端の各々に、ディスク駆動装置のガイド軸や送りねじ軸（図２において想像線２６，２７で示す部分）が係合する第一の軸受部１１７および第二の軸受部１１８が形成される。これらの第一の軸受部１１７および第二の軸受部１１８により、光ヘッド装置１は矢印Ａで示すディスク半径方向に往復移動可能となる。また、フレーム１１における移動方向の一方の側端面は、ディスク駆動機構のスピンドルモータ（図示せず）に接近した際の干渉を防止するために略円弧状に湾曲している。
【００４２】
第一レーザ光源１２は第一レーザ光を射出することができる発光素子と、この発光素子を固定する固定台とを備える組立体である。発光素子としてたとえばＡｌＧａＩｎＰ系のレーザダイオードが適用できる。固定台は、円筒状のケースと、円筒状のケースの軸線方向の一端において、外周方向に延出する円盤状のフランジとを有する。そして、円筒状のケースの前記円盤状のフランジが形成されない側の一端から第一レーザ光が射出される。
【００４３】
第一レーザ光源１２は、ユニット化されており、光源ユニット１４を構成する。そして光源ユニット１４は、フレーム１１に形成されるユニット装着部に装着され、位置調整が行われた後に、当該フレーム１１に接着固定される。なお、第一レーザ光源１２は、そこから射出される第一レーザ光の光記録媒体上における光スポットが、光記録媒体の半径方向に対して＋３０度の角度となるように、その偏波面方向が調整されてフレーム１１に取り付けられている。
【００４４】
光源ユニット１４は、第一レーザ光源１２と、収差補正レンズＬと、スペーサリング（図略）と、これらが取り付けられる共通のホルダとを備える。そして、発光素子および収差補正レンズＬが共通のホルダに接着固定されるとともに、スペーサリングが、収差補正レンズＬおよび第一レーザ光源１２の間隔調整のために適宜装着される。なお、スペーサリングは装着されないこともある。
【００４５】
収差補正レンズＬは、第一レーザ光源１２から射出される第一レーザ光が、発散光として斜めに第一ビームスプリッタ１７（後述）を透過する際に発生する収差（コマ収差および非点収差）を補正するための光学素子である。収差補正レンズＬとしては例えばトーリックレンズが用いられている。トーリックレンズは、発光素子の側のレンズ面が凹面とされ、他方の側のレンズ面がトーリック面となっている。
【００４６】
第一回折格子１５は、第一レーザ光源１２から射出された第一レーザ光を、トラッキング検出のために、３ビームに回折する機能を有する。３ビーム生成用の第一回折格子１５には、その射出側の表面に１／２波長板１９が一体的に形成されている。１／２波長板１９は、第一レーザ光源１２が射出した第一レーザ光の偏波面方向を調整する機能を有する。具体的には、１／２波長板１９は、第一レーザ光が光学素子としての立ち上げミラー２０（立ち上げミラー）の反射面に入射する際に、第一レーザ光が光学素子としての立ち上げミラー２０（立ち上げミラー）の反射面へ入射する際の入射角が４５°（第一レーザ光が光学素子としての立ち上げミラー２０（立ち上げミラー）の反射面の法線に対して）傾斜した方向になるように調整する。なお、１／２波長板１９４６を回折格子５１１と一体的に形成しておくことにより、コスト低減化を図っている。
【００４７】
第一ビームスプリッタ１７は、平行平板状の光学部材であり、第一回折格子１５により３ビームに分離した第一レーザ光を、部分透過させる機能を有する。すなわち、第一レーザ光源１２が発した第一レーザ光の一部を透過させることができ、残りの一部を反射させることができる。
【００４８】
モニター用受光素子２８は、第一ビームスプリッタ１７の入射面において部分反射した第一レーザ光（すなわち、第一レーザ光の反射成分）を受光することができる。そして、本発明の実施形態にかかる光ヘッド装置１は、モニター用受光素子２８の受光量に基づいて、第一レーザ光源１２の発光強度のフィードバック制御を行うことができる。モニター用受光素子２８は、第一ビームスプリッタ１７における第一レーザ光の入射面側の近傍に配設される。
【００４９】
このようなフィードバック制御を実現するため、第一ビームスプリッタ１７は、第一レーザ光を部分反射および部分透過することができるとともに、第二レーザ光を略全反射する光学特性を有している。たとえば、第一ビームスプリッタ１７は、第一レーザ光の略５０％を反射し、残りの略５０％を透過することができる光学特性を有している。
【００５０】
第二レーザ光源１３は、第二レーザ光を射出することができる発光素子を備える組立体である。発光素子としてたとえばＡｌＧａＡｓ系のレーザダイオードが適用できる。そして第二レーザ光源１３は、フレーム１１に形成される第二レーザ光源装着部に装着される。具体的には、第二レーザ光源１３が発した第二レーザ光が、射出した状態でのその偏波面方向が光学素子としての立ち上げミラー２０（立ち上げミラー）の反射面に４５°の角度で入射するように配設される。そして、第二レーザ光源１３はその光軸回りに位置調整された状態で、フレーム１１に固定される。
【００５１】
第二回折格子１６は、第二レーザ光源１３から射出された第二レーザ光を、トラッキング検出のために、３ビームに回折する機能を有する。第二ビームスプリッタ１８は、平行平板状の光学部材であり、第二回折格子１６により３ビームに分離した第二レーザ光を、部分反射させる（換言すると部分透過させる）機能を有する。
【００５２】
光学素子としての立ち上げミラー２０（立ち上げミラー）は、第一レーザ光および第二レーザ光の方向を変更する機能を有する。また、光学素子としての立ち上げミラー２０（立ち上げミラー）の反射面は、第一レーザ光および第二レーザ光源１３の反射の際に生ずる位相差が、π（２ｎ＋１）／２（ｎ＝０，１，２・・・）となるように設計されている。したがって、偏波面方向が４５°の角度で傾斜した状態で入射する第一レーザ光および第二レーザ光は、反射後に円偏光に変換される。光記録媒体上に形成されている光スポットを円偏光に近づけることにより、情報読取性能を向上させる。
【００５３】
コリメートレンズ２３は、第一レーザ光および第二レーザ光を平行光にする機能を有する光学素子である。  
【００５４】
対物レンズユニットは、対物レンズ２４と、対物レンズ駆動機構２５とを備える。
【００５５】
対物レンズ２４は、コリメートレンズ２３により平行光にされた第一レーザ光および第二レーザ光を、光記録媒体の記録面に収束させる機能を有する。本発明の実施形態にかかる光ヘッド装置１は、共通の対物レンズ２４により第一レーザ光および第二レーザ光による記録、または再生を行う。このため、対物レンズ２４は、同心円状の溝や段差により回折格子が形成された２波長レンズが用いられる。
【００５６】
対物レンズ駆動機構２５は、対物レンズ２４の位置をフォーカシング方向およびトラッキング方向にサーボ制御する機能を有する。
【００５７】
本発明の実施形態にかかる光ヘッド装置１の対物レンズ駆動機構２５には、周知の各種対物レンズ駆動機構２５が適用できる。例えば、対物レンズ駆動機構２５としてワイヤサスペンション方式のものが適用される。ワイヤサスペンション方式の対物レンズ駆動機構２５は、対物レンズ２４を保持しているレンズホルダと、このレンズホルダを複数本のワイヤでトラッキング方向およびフォーカシング方向に移動可能に支持しているホルダ支持部と、フレーム１１に固定されたヨークとを備えている。
【００５８】
検出レンズ２１は、光記録媒体の記録面に反射した第一レーザ光および第二レーザ光の戻り光に、非点収差を与える光学素子である。
【００５９】
信号検出用受光素子２２は、光記録媒体の記録面に反射した第一レーザ光および第二レーザ光の戻り光を検出する光学素子である。
【００６０】
また、フレーム１１には、コネクタなどが搭載された可撓性基板２９が配置されている。そして、この可撓性基板２９を介して、後述する第１レーザ光源、第２レーザ光源、信号検出用受光素子２２などに電源供給や信号供給などを行う。
【００６１】
次に、本発明の実施形態にかかる光ヘッド装置１の光学系について説明する。図３は、本発明の実施形態にかかる光ヘッド装置１の光学系を、模式的に示した平面図である。なお、この図３において、一点鎖線Ｂで示す位置よりも上方に描かれている部分は、本来であれば紙面に対して直交する方向に配列される部分である。ただし、図３においては平面に展開した状態を示す。
【００６２】
第一レーザ光の光路として、第一レーザ光源１２から光記録媒体の記録面に向かう第一往路Ｌ１が存在する。第二レーザ光の光路として、第二レーザ光源１３から光記録媒体の記録面に向かう第二往路Ｌ２が存在する。さらに、光記憶媒体の記録面から信号検出用受光素子２２に向かう復路Ｌ３が存在する。なお、本発明においては、光記憶媒体の記録面において反射して信号検出用受光素子２２に向かう光を「戻り光」と称する。
【００６３】
第一往路Ｌ１には、収差補正レンズＬ（トーリックレンズ）と、第一回折格子１５と、第一ビームスプリッタ１７と、光学素子としての立ち上げミラー２０に応力である立ち上げミラーと、コリメートレンズ２３と、対物レンズ２４とが配置される。
【００６４】
収差補正レンズＬ（トーリックレンズ）は、発光素子の射出光軸に対して所定の角度分だけ傾いた状態に配置され、その凹面およびトーリック面が、発光素子の出射光の光軸と所定の角度分だけ傾いている。従って、収差補正レンズＬは、第一レーザ光の中心光軸に対する凹面およびトーリック面の傾きにより、第一レーザ光が第一ビームスプリッタ１７を透過した際に発生するコマ収差とは逆向きのコマ収差を発生させることができる。これにより、第一レーザ光が第１ビームスプリッタを透過する際のコマ収差を補正する。
【００６５】
収差補正レンズＬは、トーリック面の曲率半径の異方性によって、第一レーザ光が第一ビームスプリッタ１７を透過する際に発生する非点収差とは逆向きのコマ収差を発生させ、第一レーザ光が第一ビームスプリッタ１７を透過する際の非点収差を補正する。
【００６６】
第二往路Ｌ２には、第二回折格子１６と、第二ビームスプリッタ１８と、第一ビームスプリッタ１７と、光学素子としての立ち上げミラー２０と、コリメートレンズ２３と、対物レンズ２４とが配置される。
【００６７】
第二回折格子１６は、第二レーザ光源１３から射出された第二レーザ光を、トラッキング検出のために、３ビームに回折する機能を有する。第二ビームスプリッタ１８は、平行平板状の光学部材であり、第二回折格子１６により３ビームに分離した第二レーザ光を、部分反射させる（換言すると部分透過させる）機能を有する。第一ビームスプリッタ１７は、第二ビームスプリッタ１８で反射した第二レーザ光を、部分反射する。
【００６８】
第一レーザ光の第一ビームスプリッタ１７への入射角θ１は、４５°未満の傾斜角度に設定されている。例えば、４０°に設定されている。このため、第一ビームスプリッタ内で第１レーザ光が透過する光路の長さを短縮することができ、第一ビームスプリッタ１７に対して垂直入射に近い分、第１レーザ光が当該第一ビームスプリッタ１７を透過する際に生じる収差が小さい。一方、第二レーザ光の第二ビームスプリッタ１８への入射角θ２は４５°に設定されている。また、戻り光の第一ビームスプリッタ１７への入射角θ３は、第一レーザ光の第一ビームスプリッタ１７への入射角θ１と同じ角度、例えば４０°に設定されている。
【００６９】
すなわち、平行平板状の第一ビームスプリッタ１７は、第一往路Ｌ１と第二往路Ｌ２とを合成する光路合成素子としての機能を有する。光学素子としての立ち上げミラー２０（立ち上げミラー）は、第二ビームスプリッタ１８で部分反射した第二レーザ光を、光記憶媒体の記録面に向けて立ち上げる（向きを変える）機能を有する。コリメートレンズ２３は、第二レーザ光を平行光にする機能を有する。対物レンズ２４は、コリメートレンズ２３によって平行光にされた第二レーザ光を、光記録媒体の記録面に収束させる機能を有する。
【００７０】
したがって、第一ビームスプリッタ１７から光記録媒体までの間が、第一往路Ｌ１と第二往路Ｌ２の共通光路となる。
【００７１】
第二レーザ光源１３から光記録媒体に向かう第二往路Ｌ２における光学倍率は、例えば、６．５〜７．５倍に設定される。一方、第一レーザ光源１２から光記録媒体に向かう第一往路Ｌ１における光学倍率は、例えば、３．５〜５．０倍に設定されることが好ましい。ただし前記のとおり、第一往路Ｌ１と第二往路Ｌ２とでは、コリメートレンズ２３および対物レンズ２４が共通化されている。また、レイアウト上の制約もある。そこで、収差補正レンズＬとして用いたトーリックレンズを第一レーザ光に対する倍率変換レンズとして用いることにより、収差補正レンズＬ（トーリックレンズ）によって、第一レーザ光源１２から光記録媒体に向かう第一往路Ｌ１における光学倍率を最適化している。
【００７２】
復路Ｌ３の光路上には、対物レンズ２４と、コリメートレンズ２３と、光学素子としての立ち上げミラー２０（立ち上げミラー）と、第一ビームスプリッタ１７と、第二ビームスプリッタ１８と、検出レンズ２１とが配設される。検出レンズ２１は、戻り光に非点収差を与える。したがって戻り光は、対物レンズ２４およびコリメートレンズ２３を透過し、光学素子としての立ち上げミラー２０（立ち上げミラー）および第一ビームスプリッタ１７で反射し、第二ビームスプリッタ１８および検出レンズ２１を透過して、信号検出用受光素子２２に到達する。この際に、検出レンズ２１によって、戻り光に非点収差が与えられる。
【００７３】
さらに、図３に示すように、第一ビームスプリッタ１７における第一レーザ光の入射面側の近傍には、モニター用受光素子２８が配設される。このモニター用受光素子２８は、第一ビームスプリッタ１７の入射面において部分反射した第一レーザ光（すなわち、第一レーザ光の反射成分）を受光する。そして、本発明の実施形態にかかる光ヘッド装置１は、モニター用受光素子２８の受光量に基づいて、第一レーザ光源１２の発光強度のフィードバック制御を行うことができる。
【００７４】
このようなフィードバック制御を実現するため、第一ビームスプリッタ１７は、第一レーザ光を部分反射および部分透過することができるとともに、第二レーザ光を略全反射する光学特性を有している。たとえば、第一ビームスプリッタ１７は、第一レーザ光の略５０％を反射し、残りの略５０％を透過することができる光学特性を有している。
【００７５】
第一往路Ｌ１に配置されている３ビーム生成用の第一回折格子１５には、その射出側の表面に１／２波長板１９が一体的に形成されている。１／２波長板１９は、第一レーザ光源１２から射出した第一レーザ光の偏波面方向を調整する機能を有する。具体的には、１／２波長板１９は、第一レーザ光源１２から射出した第一レーザ光が立ち上げミラーの反射面に入射する際に、その入射方向および反射方向を含む当該反射面の垂直面に対して４５°傾斜した方向となるように、偏波面方向を調整する。
【００７６】
立ち上げミラーの反射面は、双方のレーザ光の反射の際に生ずる位相差がπ（２ｎ＋１）／２（ｎ＝０，１，２・・・）となるように設計されている。このため偏波面方向が４５°傾斜した状態で入射する双方のレーザ光は、反射後に円偏光に変換されることになる。このように、光記録媒体上に形成されている光スポットを円偏光に近づけることにより、情報読取性能が向上する。  
【００７７】
本発明の実施形態によれば、立ち上げミラー２０を固定するための接着剤６を、第一の壁部１１１および第二の壁部１１２のそれぞれの傾斜面１１１１，１１２１に形成される溝状の切り欠き１１６に導入することができる。このため、接着位置を高い精度で規定することが可能となる。したがって、立ち上げミラー２０を、幾何学的にバランス良く第一の壁部１１１および第二の壁部１１２に固定することができる（すなわち、立ち上げミラー２０を、幾何学的にバランス良フレーム１１に固定することができる）。これにより、光軸ズレなどの不具合を防止または抑制することが可能となる。
【００７８】
本発明の実施形態によれば、接着剤６が溝状の切り欠き１１６部から側壁部に導入されるので、立ち上げミラー２０を調整した後に接着剤６を導入する場合であっても、接着剤６により立ち上げミラー２０の表面を汚染することを防止または抑制できる。
【００７９】
また、溝状の切り欠き１１６の他端が前記接着剤６との間に隙間を有しているので、接着剤６が熱膨張などした際に、接着剤６が逃げることができる。このため、立ち上げミラー２０に外力が掛からない。
【００８０】
また、立ち上げミラー２０を幾何学的にバランス良くフレーム１１に固定することができる。このため、光軸ズレなどの不具合を防止または抑制することができる。
【００８１】
また、このような構成によれば、接着剤６は、立ち上げミラー２０と側壁部との間にほとんど侵入しない。したがって、接着剤６が熱膨張などした場合であっても、立ち上げミラー２０に外力が掛からない。
【図面の簡単な説明】
【００８２】
【図１】（ａ）は、本発明の実施形態にかかる光ヘッド装置１に適用できるフレーム１１と、このフレーム１１に装着される光学素子としての立ち上げミラー２０とを模式的に示した平面図であり、（ｂ）は、その外観斜視図である。
【図２】本発明の実施形態にかかる光ヘッド装置１の要部の構成を模式的に示した外観斜視図である。
【図３】本発明の実施形態にかかる光ディスク装置の光学系を模式的に示した平面図である。
【符号の説明】
【００８３】
１  光ヘッド装置
１１  フレーム
１１１  第一の壁部
１１１１  傾斜面
１１１２  直角面
１１２  第二の壁部
１１２１  傾斜面
１１２２  直角面
１１５  外周壁
１１６  溝状の切り欠き
１１７  第一の軸受部
１１８  第一の軸受部
１２  第一レーザ光源
１３  第二レーザ光源
１４  光源ユニット
１５  第一回折格子
１６  第二回折格子
１７  第一ビームスプリッタ
１８  第二ビームスプリッタ
１９  １／２波長板
２０  立ち上げミラー
２１  検出レンズ
２２  信号検出用受光素子
２３  コリメートレンズ
２４  対物レンズ
２５  対物レンズ駆動機構
２６  想像線
２７  想像線
２８  モニター用受光素子
２９  可撓性基板
５  光記録媒
６  接着剤
【図１】
2009295216.tif 000003
【図２】
2009295216.tif 000004
【図３】
2009295216.tif 000005